(57)【特許請求の範囲】
【請求項１】
紙葉類を受け付ける装置であって、
前記紙葉類が投入される投入部と、
該投入部に投入された紙葉類を１枚ずつ搬送する搬送部と、
前記投入された紙葉類が前記搬送部にて搬送される際の紙葉類の向きが、前記搬送部が形成する搬送経路に対して前記紙葉類の長辺が実質的に直交した横送り搬送向きと、前記紙葉類の長辺が前記搬送経路に沿った状態となる縦送り搬送向きのいずれであるかを判定する搬送向き判定部と、
前記搬送部により搬送される前記投入済み紙葉類の表面を読み取って、該表面の画像データを取得する第１センサと、
前記紙葉類の表面に磁気インクにて印刷済みの複数の文様が紙葉類の長辺に沿って並んだ文様列を読み取る磁気感知式のセンサであって、前記搬送部により搬送される前記紙葉類についての前記文様列を紙葉類の搬送方向に沿って順次読み取って、前記文様列の文様データを取得する第２センサと、
前記紙葉類についての種別判定を含む判定処理を行う判定処理部であって、前記搬送向き判定部の判定結果が前記横送り搬送向きであれば、前記第１センサの取得した前記画像データを判定処理に用い、前記搬送向き判定部の判定結果が前記縦送り搬送向きであれば、前記第２センサの取得した前記文様データを判定処理に用いる前記判定処理部とを備える
紙葉類受付装置。
【請求項２】
請求項１記載の紙葉類受付装置であって、
前記判定処理部は、前記縦送り搬送向きである際の判定処理に当たって、前記文様データから判読解析した前記文様列と、前記画像データの画像解析を経て得た前記文様列とを照合し、該照合の結果を前記縦送り搬送向きで搬送された前記紙葉類についての前記判定処理に用いる
紙葉類受付装置。
【請求項３】
請求項１または請求項２記載の紙葉類受付装置であって、
紙葉類の搬送開始に先だって操作され、受付対象の紙葉類を前記搬送部にて搬送する際の前記紙葉類の向きを、前記横送り搬送向きと前記縦送り搬送向きのいずれか一方に設定する搬送向き設定操作部を備え、
前記搬送部は、前記搬送向き判定部が前記投入部への紙葉類の投入状況に基づいて判定した搬送向きと、前記設定された紙葉類の搬送向きとが一致した場合に、前記投入部に投入済み紙葉類の搬送を開始する
紙葉類受付装置。
【請求項４】
請求項３記載の紙葉類受付装置であって、
更に、
前記紙葉類の向きが前記横送り搬送向きであることが予定されている横送り対象紙葉類の判別に足りる画像データである横送り紙葉類画像データと、前記紙葉類の向きが前記縦送り搬送向きであることが予定されている縦送り対象紙葉類の判別に足りる画像データである縦送り紙葉類画像データとを記憶する搬送向き別データ記憶部と、
前記設定された紙葉類の搬送向きと前記搬送向き判定部の判定した搬送向きとが一致したために前記搬送部により搬送された紙葉類について前記第１センサが取得した画像データを、前記搬送向き別データ記憶部の記憶した画像データと照合する照合部と、
該照合部の照合結果に基づいて、前記設定された紙葉類の搬送向きと、前記搬送部により搬送された紙葉類について予定されている搬送向きとの一致・不一致を判定する搬送紙葉類判定部と、
該搬送紙葉類判定部により、前記設定された紙葉類の搬送向きと、前記搬送部により搬送された紙葉類について予定されている搬送向きとの不一致が判定された時には、紙葉類投入不備の報知、投入紙葉類の返却搬送の少なくともいずれかを行う投入不備処置部とを備える
紙葉類受付装置。
【請求項５】
請求項１ないし請求項４いずれかに記載の紙葉類受付装置であって、
前記搬送向き判定部は、前記投入部に配設され、
前記投入部は、前記紙葉類の向きが前記横送り搬送向きとなる紙葉類の投入載置と、前記紙葉類の向きが前記縦送り搬送向きとなる紙葉類投入載置とが可能な載置部を有する
紙葉類受付装置。
【請求項６】
紙葉類を受け付ける方法であって、
紙葉類が搬送のために投入されると、該投入された紙葉類を１枚ずつ搬送し、
該搬送される紙葉類の搬送向きが、紙葉類搬送のための搬送部が形成する搬送経路に対して前記紙葉類の長辺が実質的に直交した横送り搬送向きと、前記紙葉類の長辺が前記搬送経路に沿った状態となる縦送り搬送向きのいずれかであるかを、紙葉類の投入状況に基づいて判定し、
前記搬送される前記投入済み紙葉類の表面を第１センサにて読み取って、該表面の画像データを取得し、
前記投入済み紙葉類の表面に磁気インクにて印刷済みの複数の文様が紙葉類の長辺に沿って並んだ文様列を読み取る磁気感知式のセンサにより、前記搬送部により搬送される前記投入済み紙葉類についての前記文様列を紙葉類の搬送方向に沿って順次読み取って、前記文様列の文様データを取得し、
前記搬送向き判定の判定結果が前記横送り搬送向きであれば、前記第１センサの取得した前記画像データを前記紙葉類についての種別判定を含む判定処理に用い、前記搬送向き判定の判定結果が前記縦送り搬送向きであれば、前記磁気感知式のセンサの取得した前記文様データを前記紙葉類についての種別判定を含む判定処理に用いる
紙葉類の受付方法。
【発明の詳細な説明】
【技術分野】
【０００１】
本発明は、紙幣や小切手、手形等の有価証券といった紙葉類の真偽判定や取引管理のために、これら紙葉類を受け付ける装置と方法に関する。
【背景技術】
【０００２】
紙幣や有価証券は、銀行等を含む金融店舗を初めとして流通している。こうした流通過程での紙葉類取り扱いの簡便化から、種々の処置装置が提案されている（例えば、特許文献１）。
【０００３】
【特許文献１】特開平１０−１５４２５６号公報
【０００４】
この特許文献では、解像度の相違する光学的なイメージ画像データを取得して、紙幣の種別（金種）や、紙幣の所定位置に印刷されている記番号を認識している。
【０００５】
ところで、紙葉類の受付に用いる装置としては、紙幣を受け付けてその収納または返却の処理を行う紙幣入出金装置があり、金融機関の係員受付窓口に設置されている。係員が顧客から紙幣を預かると、その係員は、窓口の紙幣入出金装置に紙幣を入金（投入）する。そうすると、この紙幣入出金装置は、紙幣を一枚ずつ搬送し、装置内部の識別部により、紙幣の真偽判定、金種判定等の複数の判定項目についての判定処理を行い、紙幣が正常であるか異常であるかを識別する。そして、紙幣入出金装置は、当該装置で取り扱い可能な真紙幣であると判定すると、その紙幣を収納して装置に入金する。一方、取り扱い不能な紙幣や異常紙幣であれば、装置外の所定箇所（多くは、紙幣投入箇所近く）にリジェクトする。
【０００６】
一般に、紙幣に限らず小切手等の有価証券は、その外形が長方形であることから、紙幣搬送に際していわゆる横送りと縦送りでは、識別部における一枚の紙葉類の通過時間に長短が生じる。よって、一度に大量の紙幣処理が要請される金融機関では、通過時間の短い向きで紙幣を搬送して受付処理時間の短縮化が可能な装置、即ち、搬送経路に対して紙幣長辺が実質的に直交した横送りの搬送向きで紙幣を搬送する紙幣入出金装置が主流となっている。
【０００７】
その一方、小切手等の有価証券の受付に際しては、紙幣受付には無い特有の事情がある。小切手には、その小切手金額の他、記番号が不可欠である。紙幣にも、紙幣を一枚一枚峻別するための記番号は存在するが、小切手における記番号は、その取り引き過程における種々の情報と一緒に管理される性質のものであり、磁気インクを用いて小切手表面に印刷されている。磁気インクで印刷済み記番号は、磁気感知式のセンサ（磁気センサ）を用いることで高い精度で記番号を読み取ることができるからである。
【０００８】
この記番号は、長方形をした小切手の長手方向に沿った所定の位置に一列に印刷されることから、磁気センサによる記番号読み取りは、小切手長手方向に沿って一文字ずつ行われる。よって、小切手等の入出金装置では、紙幣処理の場合の処理速度より、磁気センサによる読み取りが優先され、小切手の長辺が搬送経路に沿うよう縦送りの搬送向きで小切手を搬送する入出金装置が主流となっている。このため、紙幣処理と小切手等の処理が必要な金融機関窓口では、横送りの搬送向きの紙幣入出金装置と縦送り搬送向きの小切手等の入出金装置とが併設されて、処理の対象となる紙葉類に応じて装置を使い分けているのが実状である。
【０００９】
ところで、既述した特許文献では、解像度の高い光学式のラインセンサにて記番号を読み取るので、小切手等における記番号の読み取りにも適用は可能である。よって、特許文献に記載の装置では、紙幣と小切手の処理が可能である。しかしながら、表面に付着したゴミや汚れが記番号に重なっていたりすると、解像度が高いものであっても、得られた画像データの解析では、記番号判別不能とされたり、誤判別を起こすことが有りえ、記番号読み取りの信頼性に欠けたり、不用意なリジェクトが増えたりする虞がある。
【００１０】
また、記番号は、それを構成する記号や文字、或いは数字が小切手長辺に沿って一列に並んでいる。図１は小切手における記番号の印刷の様子と磁気センサによる読み込みの様子とを示す説明図である。この図１に示すように、磁気センサの分解能を、一列に並んだ記番号を一文字ずつ小切手長辺と直交する方向から読みとれるよう高めれば、小切手であっても紙幣と同様に横送り搬送向きで処理できる。ところが、磁気センサの分解能向上は、磁気感知式というセンサ自体の構成上の制約からセンサ小型化に限界があり、高コストとなるため現実的とは云えない。
【００１１】
こうした事情から、紙幣と小切手等の処理が可能な装置が実現しないでいる。
【発明の開示】
【発明が解決しようとする課題】
【００１２】
本発明は、紙幣と小切手といった紙葉類の処理に際しての上記問題点を解決するためになされ、異なる種別の紙葉類を処理可能な紙葉類受付手法を提供することをその目的とする。
【課題を解決するための手段】
【００１３】
かかる課題の少なくとも一部を解決するため、本発明では、紙葉類の受け付けに際し、投入部に紙葉類が投入されると、その投入済み紙葉類を１枚ずつ搬送部にて搬送する。こうして搬送される紙葉類は、搬送向き判定部にて、搬送向きの判定に処される。つまり、搬送向き判定部は、搬送部にて搬送される紙葉類の向きが、前記搬送部が形成する搬送経路に対して前記投入済み紙葉類の長辺が実質的に直交した横送り搬送向きと、前記投入済み紙葉類の長辺が前記搬送経路に沿った状態となる縦送り搬送向きのいずれかであるかを判定する。この判定は、前記投入部への紙葉類の投入状況に基づいて行うことができ、こうすれば、投入とほぼ同時に搬送向きを判定でき、好ましい。
【００１４】
こうした搬送向きの判定の他、本発明では、第１センサにより、前記搬送部により搬送される前記投入済み紙葉類の表面を読み取って、該表面の画像データを取得すると共に、第２センサにてもデータを取得する。第２センサは、前記投入済み紙葉類の表面に磁気インクにて印刷済みの複数の文様が紙葉類の長辺に沿って並んだ文様列を読み取る磁気感知式のセンサであって、前記搬送部により搬送される前記投入済み紙葉類についての前記文様列を紙葉類の搬送方向に沿って順次読み取って、前記文様列の文様データを取得する。
【００１５】
そして、前記投入済み紙葉類の判定処理を行うに当たっては、前記搬送向き判定部の判定結果が前記横送り搬送向きであれば、前記第１センサの取得した前記画像データを判定処理に用い、前記搬送向き判定部の判定結果が前記縦送り搬送向きであれば、前記第２センサの取得した前記文様データを判定処理に用いる。
【００１６】
上記構成の本発明による紙葉類受付によれば、例えば紙幣のように一度の大量処理・受付時間短縮化が望まれる紙葉類の受付にあっては、これら紙葉類を搬送部での搬送の際の紙葉類向きが横送り搬送向きとなるように投入部に投入すれば、その搬送向きが判定されて第１センサによる画像データ取得が行われ、この画像データを用いた判定処理を行うことができる。その一方、記番号といった磁気インク印刷文字列の各文字の読み取り精度が重視される小切手等の有価証券紙葉類の受付にあっては、これら紙葉類を搬送部での搬送の際の紙葉類向きが縦送り搬送向きとなるように投入部に投入すれば、その搬送向きが判定されて第２センサによる磁気印刷文様列の各文様データ取得が順次行われ、この文様データを用いた判定処理を行うことができる。この結果、本発明によれば、異なる種別の紙葉類を、その紙葉類の種別ごとの要請（大量処理・時間短縮、読み取り精度重視）に則って容易に受付処理できる。このため、こうした受付装置の設置スペースの省スペース化が可能であると共に、磁気感知式の第２センサの分解能を不用意に高める必要がなくコスト的に有益である。更には、処理の対象となる紙葉類に応じた装置の使い分けも不要となり、簡便である。
【００１７】
このように異なる種別の紙葉類の受付を可能とする本発明は、次のような態様とすることもできる。例えば、紙葉類の搬送向きが前記縦送り搬送向きである際の判定処理に当たって、前記文様データから判読解析した前記文様列と、前記画像データの画像解析を経て得た前記文様列とを照合し、該照合の結果を前記判定処理に用いるようにすることもできる。こうすれば、紙葉類の搬送向きが前記縦送り搬送向きとされた紙葉類の判定処理精度をより高めることができる。
【００１８】
また、紙葉類の搬送開始に先だって操作され、受付対象の紙葉類を前記搬送部にて搬送する際の前記紙葉類の向きを、前記横送り搬送向きと前記縦送り搬送向きのいずれか一方に設定する搬送向き設定操作部を備えるようにした上で、前記設定された紙葉類の搬送向きが前記搬送向き判定部の判定した搬送向きと一致した場合に、前記投入部に投入済み紙葉類の搬送を開始するようにすることもできる。こうすれば、紙葉類の向きを誤ったまま紙葉類を搬送してしまうようなことが無くなり、好ましい。
【００１９】
この場合、更に、
前記紙葉類の向きが前記横送り搬送向きであることが予定されている横送り対象紙葉類の判別に足りる画像データである横送り紙葉類画像データと、前記紙葉類の向きが前記縦送り搬送向きであることが予定されている縦送り対象紙葉類の判別に足りる画像データである縦送り紙葉類画像データとを記憶する搬送向き別データ記憶部と、
前記設定された紙葉類の搬送向きと前記搬送向き判定部の判定した搬送向きとが一致したために前記搬送部により搬送された紙葉類について前記第１センサが取得した画像データを、前記搬送向き別データ記憶部の記憶した画像データと照合する照合部と、
該照合部の照合結果に基づいて、前記設定された紙葉類の搬送向きと、前記搬送部により搬送された紙葉類について予定されている搬送向きとの一致・不一致を判定する搬送紙葉類判定部と、
該搬送紙葉類判定部により、前記設定された紙葉類の搬送向きと、前記搬送部により搬送された紙葉類について予定されている搬送向きとの不一致が判定された時には、紙葉類投入不備の報知、投入紙葉類の返却搬送の少なくともいずれかを行う投入不備処置部とを備えるようにすることもできる。
【００２０】
こうすれば、設定された紙葉類の搬送向きと、実際に搬送されてきた紙葉類に予定されている搬送向きとの一致・不一致を区別できるので、設定した紙葉類の搬送向きと異なった搬送向きの紙葉類を搬送してしまった場合の誤投入を検知できる。例えば、横送り搬送向きに設定したにも拘わらず、実際に横送り搬送向きで搬送されてきた紙葉類が、記憶画像データとの照合の結果、縦送り対象紙葉類であることが予定されている小切手であれば、誤って小切手を紙幣の搬送向きで投入してしまったようなことを検知できる。縦送り搬送向きに設定したにも拘わらず、実際に搬送されてきた紙葉類が、記憶画像データとの照合の結果、横送り対象紙葉類であることが予定されている紙幣であれば、誤って紙幣を小切手の搬送向きで投入してしまったようなことを検知できる。
【００２１】
そして、このように設定搬送向きと実際の搬送向きとの判定を行うようにした上で、前記設定された紙葉類の搬送向きと、前記搬送部により搬送された紙葉類について予定されている搬送向きとの不一致が判定された時には、紙葉類投入不備の報知、投入紙葉類の返却搬送の少なくともいずれかを行うようにするので、紙葉類投入に不備があった後の当該不備の速やかな解消や、投入不備紙葉類の回収が容易となる。
【００２２】
上記した各態様において、前記搬送向き判定部を前記投入部に配設し、前記投入部は、前記紙葉類の向きが前記横送り搬送向きとなる紙葉類の投入載置と、前記紙葉類の向きが前記縦送り搬送向きとなる紙葉類投入載置とが可能な載置部を有するようにすることができる。こうすれば、紙葉類投入の際にその搬送向きを判定できることから、紙葉類投入の不備を未然に回避できるようになる。
【００２３】
本発明は、紙葉類の受付装置と受付方法の他、紙葉類を受け付けた後に紙葉類を選別したり入出金等する種々の紙葉類処理装置や処理方法に適用可能であることは勿論、紙葉類受付装置や紙葉類処理装置を制御するための制御装置および制御方法、制御装置の機能を実現するためのコンピュータプログラム、そのコンピュータプログラムを記録した記録媒体、そのコンピュータプログラムを含み搬送波内に具現化されたデータ信号、等の種々の態様で実現することができる。
【発明を実施するための最良の形態】
【００２４】
以下、本発明の実施の形態について、実施例に基づき説明する。図２は実施例における紙葉類入出金処理装置１００の構成を示すブロック図、図３は紙葉類投入ヘッド２００の概略斜視図である。
【００２５】
紙葉類入出金処理装置１００は、金融機関等の窓口の係員側に設置され、窓口係員に操作される。この紙葉類入出金処理装置１００は、図１に示すように、装置外側の係員操作領域に、紙葉類投入ヘッド２００と、操作部１１０とを備え、装置内部には、投入・受付済みの紙葉類を収納するカセット１０１〜１０４と、使用不可紙葉類を収納するカセット１０５と、紙葉類を一時的に収納する一時収納カセット１２０と、紙葉類の真偽判定等の処理を行う識別部１３０と、紙葉類搬送のための第１〜第３搬送ライン１４１〜１４３とを備える。
【００２６】
紙葉類投入ヘッド２００は、投入部２１０と、返却部２２０と、放出部２２２とを有する。投入部２１０は、紙幣や小切手といった紙葉類を係員が投入するために設置されている。返却部２２０は、投入された紙葉類を係員に返却するために設置され、放出部２２２は、一時収納カセット１２０やカセット１０１等に収納していた紙葉類を出金等のために係員に受け渡すために設置されている。なお、図２においては、返却部２２０と放出部２２２は別々に示されているが、同時に使用されることは殆どないため、図３に示すように、共通化することもできる。
【００２７】
投入部２１０や返却部２２０、放出部２２２は、紙葉類を縦置き・横置きの状態で集積できるよう構成されている。投入部２１０で説明すると、投入部２１０は、紙葉類投入ヘッド２００の前面パネルの投入窓２１１を取り囲むよう設置されたパネル側枠体２１２と、当該枠体の中央から突出した突出枠２１３とを備える。図４は投入部２１０をその上面から見て概略的に示した説明図である。この図４にも示すように、パネル側枠体２１２は、図中に白抜き矢印で示す搬送方向（搬送経路）に対して紙葉類の長辺が実質的に直交した横送り搬送向きでの紙葉類投入ができるようにされている。突出枠２１３は、紙葉類の長辺が図中に白抜き矢印で示す搬送方向（搬送経路）に沿った状態となる縦送り搬送向きでの紙葉類投入ができるようにされている。返却部２２０と放出部２２２も上記の投入部２１０と同様の構成であるが、装置内部から搬送されてきた紙葉類を受け止めるために、パネル側枠体２１２の前端側にはストッパ片２１４が装着されている。
【００２８】
上記のように紙葉類の紙葉類を縦置き・横置きが可能な投入部２１０は、投入された紙葉類の縦置き・横置きの状態、延いては、その後の紙葉類搬送時の縦送り・横送りの搬送の向きを検出するため、センサ群を有する。このセンサ群は、パネル側枠体２１２の左右端部側にそれぞれ設置された右端センサ２１５と、左端センサ２１６と、パネル側枠体２１２中央の中央センサ２１７と、突出枠２１３の前端側に設置された前端センサ２１８とを備える。これらセンサは後述の制御部と接続され、当該制御部に検出信号を出力する。上記各センサは、そのセンサ出力が制御部にて紙葉類の縦置き・横置きの判定に用いられることから、制御部と相俟って本発明の搬送向き判定部を構成する。なお、センサ出力を用いた搬送向き判定については後述する。
【００２９】
次に、紙葉類搬送について説明する。投入部２１０に投入された紙葉類は、集積された状態の最下段の紙葉類から一枚ずつ第１搬送ライン１４１にて搬送される。第１搬送ライン１４１は、投入部２１０から識別部１３０を経由して返却部２２０と放出部２２２に亘るループ状の搬送ラインを形成する。そして、この第１搬送ライン１４１は、上記の搬送ラインにより、投入済み紙葉類の識別部１３０への搬送、識別部１３０にて処理済み紙葉類の返却部２２０や放出部２２２への搬送を行う。
【００３０】
第２搬送ライン１４２は、第１搬送ライン１４１から分岐した搬送ラインを形成する。そして、この第２搬送ライン１４２は、上記の搬送ラインにより、第１搬送ライン１４１にて搬送された紙葉類を、一時収納カセット１２０に搬送する。また、第２搬送ライン１４２は、一時収納カセット１２０に集積収納済みの紙葉類を、最下段の紙葉類から一枚ずつ取り出し、その取り出した紙葉類を第１搬送ライン１４１に受け渡す。
【００３１】
第３搬送ライン１４３は、識別部１３０とカセット１０１〜１０４とカセット１０５とを結ぶループ状の搬送経路を形成する。そして、この第３搬送ライン１４３は、上記の搬送ラインにより、第１搬送ライン１４１にて識別部１３０まで搬送された紙葉類を受け取って、識別部１３０での識別結果に応じて該当するカセットに紙葉類を搬送する。また、第３搬送ライン１４３は、各カセットに集積収納済みの紙葉類を、最上段の紙葉類から一枚ずつ取り出し、その取り出した紙葉類を第１搬送ライン１４１に受け渡す。なお、第１搬送ライン１４１に受け渡された紙葉類は、第１搬送ライン１４１により、返却部２２０や放出部２２２に搬送される。
【００３２】
上記した第１〜第３搬送ライン１４１〜１４３は、後述の制御部からの制御信号に基づいて駆動し、上記した紙葉類搬送を行う。また、これら第１〜第３搬送ライン１４１〜１４３は、それぞれの搬送ラインでの搬送方向に対して紙葉類が横送り・縦送りでも搬送できるよう、紙葉類挟持ローラ対やベルト（無端ベルト）を備える。この場合、紙葉類挟持ローラ対やベルトは、弾性体で形成され、紙葉類表面と接触した際の摩擦を利用して、紙葉類を縦送り・横送りのいずれの状態でも下流側に搬送する。
【００３３】
図５は本実施例の紙葉類入出金処理装置１００において予定している紙葉類搬送の様子を示す説明図である。この図５に示すように、本実施例では、第１〜第３搬送ライン１４１〜１４３での紙葉類搬送に際して、紙幣については、搬送経路に対して紙幣長辺が直交する横送り搬送を予定しており（図５（Ａ））、小切手等の有価証券（以下、有価証券を小切手として説明する）については、小切手長辺が搬送経路に沿うような縦送り搬送を予定している（図５（Ｂ））。このため、既述したカセットのうち、カセット１０１〜１０３は、第３搬送ライン１４３との間で、横送り搬送の紙幣の受け渡しを行い、紙幣を金種別に集積収納する。カセット１０４は、第３搬送ライン１４３との間で、縦送り搬送の小切手の受け渡しを行い、小切手を集積収納する。カセット１０５は、使用不可紙葉類を集積収納するものであることから、紙幣と小切手を混在して集積収納する。一時収納カセット１２０は、紙葉類を一時的に収納するものである都合上、第２搬送ライン１４２が搬送する紙幣と小切手を集積収納する。この場合、紙幣と小切手を混在して集積収納するほか、カセット内を区画して紙幣と小切手を区別し、それぞれを集積収納するよう構成することもできる。
【００３４】
上記したカセット１０１〜１０３のうち、カセット１０１は千円札を、カセット１０２は五千円札を、カセット１０３は一万円札をそれぞれ集積収納するものとされ、各カセットへの紙幣搬送は、識別部１３０での金種判別を経て行われる。
【００３５】
なお、上記したカセットとそれぞれの搬送ラインとの間の紙葉類受け渡し、投入部２１０からの受け渡し、返却部２２０や放出部２２２への受け渡しには、それぞれ図示しない紙葉類繰り出しローラ対が設置されている。そして、この紙葉類繰り出しローラ対にあっても、紙葉類を縦送り・横送りのいずれの状態でも下流側に繰り出せるよう、構成されている。
【００３６】
次に、紙幣や小切手の搬送を受ける識別部１３０の構成について説明する。図６は識別部１３０の概略構成を平面視して示す説明図である。図示するように、識別部１３０は、図中白抜き矢印で示す第１搬送ライン１４１の搬送方向に対して交差（直交）する第１センサ１３１と第２センサ１３２とを有する。また、これらセンサの前後に、紙葉類を送り出す送出ローラ対１３３を複数有する。送出ローラ対１３３は、第１搬送ライン１４１の搬送ラインの一部をなし、識別部１３０は、送出ローラ対１３３を駆動させつつ、第１センサ１３１と第２センサ１３２にてセンサ出力を得る。第１センサ１３１と第２センサ１３２は、紙葉類の表裏についての読み取りデータを取得するため、搬送される紙葉類に対して上下に配置されている。この場合、両センサを紙葉類の一方の側にだけ設置することもできる。
【００３７】
第１センサ１３１は、光学的なラインフォトセンサとして構成され、搬送される紙幣および小切手の表面を読み取って、表裏面の画像データを取得する。この画像データは、後述する制御部に送られ、種々の処理に用いられる。第２センサ１３２は、磁気感知式のラインセンサとして構成され、搬送される紙幣および小切手の表面に磁気インクにて印刷された記番号の列を読み取り、その記番号の列に含まれるここの文字・数字を読み取って、記番号文字データを取得する。この記番号文字データも、後述する制御部に送られ、種々の処理に用いられる。
【００３８】
この場合、既述したように、本実施例では、紙幣については横送り搬送を予定しており、小切手については縦送り搬送を予定しているので、第１センサ１３１は、紙幣表面画像データをその前面に亘って収得できるよう、０．２ｍｍピッチの分解能を持ったフォトラインセンサとされている。また、第２センサ１３２は、例えば図１に示すように小切手の所定箇所（小切手に正対して右下端）に小切手長辺に沿って一列に磁気インク印刷されている記番号をその文字並びに沿って読み取って記番号文字データを所得できるよう、７．５ｍｍピッチの分解能のラインセンサとされている。つまり、第２センサ１３２は、第１センサ１３１に比して、低い分解能のセンサ構成とされている。そして、第１センサ１３１は上記した高分解能であることから、第１センサ１３１から得られた画像データのデータ解析（画像認識）によれば、横送り搬送された紙幣に紙幣印刷用インクで印刷された紙幣記番号をも文字画像として認識可能である。
【００３９】
なお、識別部１３０は、紙幣や小切手の真偽判定、金種判定等の種々の処理を行うため、上記した第１センサ１３１や第２センサ１３２以外の他のセンサを備え、これら他のセンサ出力をも、第１センサ１３１や第２センサ１３２のセンサ出力と共に真偽判定、金種判定等の種々の処理に用いる。
【００４０】
次に、操作部１１０について説明する。図７は操作部１１０を正面視して示す説明図である。図示するように、操作部１１０は、窓状の表示部１１１と、把持操作されるキースイッチ１１２と、モード切替スイッチ１１３と、操作ボタン群１１４とを有する。表示部１１１は、後述の制御部による制御を受け、入出金する紙幣や小切手の金額や、紙葉類入出金処理装置１００の動作状態等を表示する。キースイッチ１１２は、紙葉類入出金処理装置１００に対して各種の保守作業を行う際に操作される監視キースイッチであり、通常はＯＮとされている。つまり、このキースイッチ１１２がＯＮからＯＦＦに操作されれば、その後の保守作業時の安全確保、保守作業の効率化等のために、例えば、第１〜第３搬送ライン１４１〜１４３の動作を停止させたり、各ラインのマニュアルシーケンス送りができるようにする。
【００４１】
モード切替スイッチ１１３は、内部に発光部を備えた押圧式のスイッチであり、押圧するごとに、紙幣の入出金処理と小切手の入出金処理とを切り替える。例えば、現状において紙幣入出金処理であれば、紙幣入出金の文字列を発光部からの光で表示し、この状態から押圧操作されると、小切手入出金の文字列を表示する。そして、このモード切替スイッチ１１３は、その操作状態を後述の制御部に信号出力し、この出力を受けた制御部は、現状の入出金処理対象が紙幣であるか小切手であるかを判定する。本実施例では、紙幣と小切手の搬送方向が既述したように予定されていることから、このモード切替スイッチ１１３は、紙葉類の搬送開始に先だって操作され、受付対象の紙葉類の向きを横送り搬送向きと縦送り搬送向きのいずれか一方に設定する搬送向き設定操作部として機能する。
【００４２】
操作ボタン群１１４は、入金確認ボタン１１５と入金取消ボタン１１６と計数ボタン１１７とリセットボタン１１８を並べて構成されている。入金確認ボタン１１５は、一時収納カセット１２０に収納された紙幣や小切手の入金確定を指示する際に操作される。つまり、この入金確認ボタン１１５が操作されると、識別部１３０で行った金種判定、真偽判定等の結果に応じて、一時収納カセット１２０に収納済み紙幣・小切手が該当する搬送ラインによりカセット１０１〜１０４に搬送・収納される。入金取消ボタン１１６は、一時収納カセット１２０に収納された紙幣や小切手の入金の取り消しを指示する際に操作される。つまり、この入金取消ボタン１１６が操作されると、一時収納カセット１２０に収納済み紙幣・小切手が該当する搬送ラインにより返却部２２０や放出部２２２或いはカセット１０５に搬送される。計数ボタン１１７は、投入部２１０に投入された紙幣や小切手の計数を開始する際に操作され、当該ボタンの操作により、投入部２１０に集積された紙葉類の搬送が開始される。リセットボタン１１８は、紙葉類入出金処理装置１００の作動状態を初期状態にリセットする際に操作され、当該ボタン操作により、紙葉類入出金処理装置１００は、紙葉類受付やその後の処理に備えた初期状態となる。
【００４３】
次に、紙葉類入出金処理装置１００の電気的な構成について説明する。図８は紙葉類入出金処理装置１００の電気的な構成を示すブロック図である。図示するように、紙葉類入出金処理装置１００は、制御部１５０を中心にして構成される。制御部１５０は、マイクロコンピュータとして構成され、論理演算回路であるＣＰＵ、一時的データの記憶を行うＲＡＭ、後述するプログラムに付いてのデータ等を記憶するＲＯＭ等を備え、これらと後述のプログラムとで、判定処理部１６０、搬送方向判定部１６５、照合・判定部１７０を構成し、その他、照合のためのデータを記憶する記憶部１８０を備える。
【００４４】
判定処理部１６０は、識別部１３０の第１センサ１３１および第２センサ１３２が取得した画像データや記番号文字データを受け取り、これら以外のセンサ１３８のセンサ入力と相俟って、紙幣についての金種判定や真偽判定、取り扱い要否判定等の種々の処理を行う。また、小切手については、真偽判定の他、記番号の判別・管理等の種々の処理を行う。搬送方向判定部１６５は、投入部２１０に設置した右端センサ２１５、左端センサ２１６、中央センサ２１７および前端センサ２１８のセンサ出力を受け取り、投入部２１０に投入されて紙葉類受付の対象となる紙葉類の搬送向き（横送り搬送・縦送り搬送）を判定する。記憶部１８０は、横送り搬送向きが予定されている紙幣について、その金種ごとの紙幣の判別に用い得る紙幣表面の画像データと、縦送り搬送向きが予定されている小切手の判別に足りる画像データ（例えば、各種の市販小切手の表面模様画像データ）とを予め記憶する。そして、照合・判定部１７０は、この記憶部１８０が紙幣・小切手について記憶した画像データを、第１センサ１３１が取得した画像データと照合して、その照合結果に基づいて、操作部１１０のモード切替スイッチ１１３にて設定済みの搬送向きと、識別部１３０に実際に搬送されてきた紙葉類について予定されている搬送向きとの一致・不一致を判定する。これは、例えば、横送り搬送向きが予定されている紙幣が誤って縦送り搬送向きで搬送されたり、その逆に、縦送り搬送向きが予定されている小切手が誤って横送り搬送向きで搬送されたりした場合に、その紙葉類の搬送過程において、搬送向きの良否を判定するためである。こうすることの利点は、次の点である。
【００４５】
搬送方向判定部１６５は、上記したように投入・集積された紙葉類の搬送向き（横送り・縦送り）を判定し、その判定結果と操作部１１０のモード切替スイッチ１１３での設定向きとが一致すれば、紙葉類の搬送を開始し、不一致ならば搬送を止め、投入異常等の報知ができる。ところが、モード切替スイッチ１１３での設定向きが小切手処理に予定した縦送り向きでありながら、誤って紙幣を縦送り状態で投入部２１０に投入した場合、右端センサ２１５等のセンサ信号により搬送方向判定部１６５は縦送り向きと判定するので、モード切替スイッチ１１３での設定向きと搬送方向判定部１６５での判定向きは一致する。よって、この場合は、誤って投入された紙幣が搬送されてしまい、紙幣でありながらその搬送向きが縦送りであるため、小切手として処理され得る。しかしながら、照合・判定部１７０と記憶部１８０とによる搬送向き判定を行えば、上記のような紙葉類の誤投入の有無を判定できるので、その後の処理の中止や、紙葉類の返却処理等が可能となる。
【００４６】
また、制御部１５０は、一時収納カセット１２０に装着した一時保留検知センサ１２１からのセンサ入力を受け、一時収納カセット１２０における紙幣・小切手の収納の有無を判定する。
【００４７】
次に、上記した紙葉類入出金処理装置１００の稼働の様子について説明する。図９は紙葉類入出金処理装置１００の稼働をもたらす制御部１５０の処理内容のうち紙幣処理についての前半部分を示すフローチャート、図１０は制御部１５０の紙幣処理についての後半部分を示すフローチャート、図１１は紙葉類入出金処理装置１００の稼働をもたらす制御部１５０の処理内容のうち小切手処理についての前半部分を示すフローチャート、図１２は制御部１５０の小切手幣処理についての後半部分を示すフローチャートである。
【００４８】
図９に示すように、制御部１５０は、まず操作部１１０におけるモード切替スイッチ１１３の操作状況を読み込み（ステップＳ１００）、これに基づいて紙幣処理であるか小切手処理であるかを判定する（ステップＳ１１０）。モード切替スイッチ１１３は、紙葉類処理に先だって係員に操作されるものであり、係員は、今回の処理対象となる紙葉類（紙幣・小切手）に応じてこのモード切替スイッチ１１３を操作する。具体的には、紙幣処理（例えば、入金処理）の場合、係員はモード切替スイッチ１１３を操作して紙幣入金処理を指示する。小切手入金であれば、その旨の指示をモード切替スイッチ１１３の操作で行う。
【００４９】
制御部１５０は、ステップＳ１１０で紙幣入金であると判定すると、係員による投入部２１０への紙幣の投入・集積を待機し（ステップＳ１２０）、続いて、係員による計数ボタン１１７のボタン操作を待機する（ステップＳ１３０）。この場合、紙幣の投入・集積は、係員によるものであることから、モード切替スイッチ１１３の操作に先だって、或いはその前後になされていればよい。
【００５０】
次に、制御部１５０は、図４に示す４つのセンサからその出力を読み込み（ステップＳ１４０）、その出力状況に基づいて、投入部２１０に投入・集積された紙幣の送り方向の適否を判定する（ステップＳ１５０）。この判定は、次の意味を持つ。ステップＳ１１０ではモード切替スイッチ１１３の操作状況から現在の入金処理の対象は紙幣であるとされたわけであるので、紙幣に予定される送り方向である搬送向きは、処理速度向上の意味から横送り方向となる（図５（Ａ）参照）。そうすると、横送り方向となるよう投入部２１０に投入・集積された紙幣により、前端センサ２１８を除くセンサがＯＮとなる。よって、センサ出力状態により、現在の入金処理の対象である紙幣がこの投入部２１０に横送り方向で投入・集積されたかが判ることになる。つまり、ステップＳ１５０では、モード切替スイッチ１１３で設定された紙幣処理の送り方向（横送り方向）と、投入部２１０におけるセンサ出力により判別された送り方向とが一致するか否かを判定することになり、肯定判定すれば、後述するように紙幣搬送を開始する。
【００５１】
一方、前端センサ２１８と中央センサ２１７とがＯＮとなれば、このセンサ出力に基づく送り方向は縦送り方向であり、モード切替スイッチ１１３で設定された紙幣処理の送り方向（横送り方向）と相違する。この場合は、ステップＳ１５０で否定判定され、制御部１５０は、モード切替スイッチ１１３で設定された紙幣処理の送り方向（横送り方向）の通りに紙幣が投入・集積されていない旨を表示部１１１に報知し（ステップＳ１６０）、一旦、ステップＳ１２０に戻る。つまり、紙幣の入金処理でありながら（ステップＳ１１０での判定）、処理対象となる紙幣の搬送向きが縦送り方向であることから、係員に紙幣の投入・集積を正すよう報知し、係員による正しい方向（横送り方向）での再度の紙幣の投入・集積を待つのである。なお、入金処理の対象が紙幣でありながら、係員が小切手を誤って横方向送りとなるよう投入部２１０に投入・集積した場合は、ステップＳ１５０にて肯定判定されるが、この場合については後述する。また、ステップＳ１６０での報知により、係員がモード切替スイッチ１１３を操作して紙幣処理から小切手処理に切り替えることも有りえる。この場合は、このモード切替スイッチ１１３の操作をトリガとして、ステップＳ１００からの処理を繰り返せばよい。
【００５２】
ステップＳ１５０で、モード切替スイッチ１１３で設定された紙幣処理の送り方向（横送り方向）と、投入部２１０におけるセンサ出力により判別された送り方向とが一致すると肯定判定すれば、現在の処理対象である紙幣を予定されている横搬送方向（横送り方向）で搬送できることから、制御部１５０は、第１搬送ライン１４１をこれに付随した繰り出しローラ対と共に駆動し、投入部２１０に横送り方向で投入・集積済みの紙幣を最下段から一枚ずつ識別部１３０に搬送する（ステップＳ１７０）。この１枚ずつの紙幣搬送は、続くステップＳ１８０以降の識別部１３０でのセンサによる画像読み取りや真偽判定等が終わるたびに、繰り返される。
【００５３】
制御部１５０は、識別部１３０にて一枚ずつ紙幣を第１センサ１３１と第２センサ１３２の読み取り対象として、既述した画像データと記番号文字データを取得し（ステップＳ１８０）、識別部１３０に実際に搬送されてきた紙葉類（横送り搬送された紙幣或いは誤って横送り搬送された小切手）についての画像データを、記憶部１８０に記憶済みの紙幣についての画像データと照合する（ステップＳ１９０）。既述したように、この記憶部１８０には、横送り搬送向きが予定されている紙幣について、その金種ごとの紙幣の判別に用い得る紙幣表面の画像データが記憶されているので、ステップＳ１９０でのデータ照合により、識別部１３０に実際に搬送されてきた紙葉類は、横送り搬送された紙幣であるのか、誤って横送り搬送された小切手であるのかが判明する。よって、制御部１５０は、続くステップＳ２００にて現実に搬送されてきた紙葉類が、モード切替スイッチ１１３にて処理対象とされた紙幣であるか否か、即ち、モード切替スイッチ１１３にて設定済みの搬送向きと、識別部１３０に実際に搬送されてきた紙葉類（この場合は紙幣）について予定されている搬送向きとの一致・不一致を判定する。
【００５４】
ステップＳ２００で肯定判定すれば、横送り搬送向きが予定されている紙幣が正しく搬送されたことを意味し、否定判定すれば、縦送り搬送向きが予定されている小切手が誤って横送り搬送向きで搬送されたことを意味する。よって、ステップＳ２００で否定判定すれば、制御部１５０は、モード切替スイッチ１１３で紙幣処理が設定されたにも拘わらず識別部１３０には小切手が誤って横送り方向で搬送された旨を表示部１１１に報知し（ステップＳ２１０）、第１搬送ライン１４１を駆動制御して、搬送済み紙葉類（この場合は小切手）を返却部２２０や放出部２２２に返却する（ステップＳ２２０）。返却後は、ステップＳ１２０に移行する。これにより、係員は、紙幣の入金処理でありながら（ステップＳ１１０での判定）、小切手を誤って搬送したことを認知するので、改めて紙幣を投入部２１０に横送り方向で投入・集積することになる。なお、ステップＳ２１０での報知により、係員がモード切替スイッチ１１３を操作して紙幣処理から小切手処理に切り替えることも有りえるが、この場合は、このモード切替スイッチ１１３の操作をトリガとして、ステップＳ１００からの処理を繰り返せばよい。
【００５５】
ステップＳ２００で肯定判定した場合は、現在の処理（入出金）の対象である紙幣が横送り搬送向きで正しく搬送されてきているので、この紙幣についての判定処理を実行する（ステップＳ２３０）。この紙幣判定処理は、第１センサ１３１が取得した画像データやこれ以外のセンサから得たセンサ出力に基づいて、紙幣の真偽判定、金種判定、更には正常・異常の包括的な判定が含まれる。この場合、金種判定にあっては、それぞれの紙幣が幾らの金種のお札であるかの判定の他、本実施例の紙葉類入出金処理装置１００で処理可能な金種、例えばカセット１０１〜１０３の集積収納対象紙幣金種（千円札と五千円札と一万円札）であるか否かの判定も行われる。なお、二千円札用のカセットを用意して、二千円札も処理可能な金種とすることもできる。紙幣の正常・異常の判定には、第１センサ１３１の画像データの解析に加え、その他のセンサ出力を用いた複数の真偽判定項目の総てを満たした紙幣について正常と判定することと、複数の真偽判定項目の少なくとも一つの項目を満足しなかった紙幣（偽物紙幣、汚れ等により判定不能紙幣）について異常と判定することが含まれる。つまり、このステップＳ２３０では、本物の紙幣であって最終的にはカセット１０１〜１０３に集積収納の対象となる正常紙幣と、本物の紙幣であってもカセット１０１〜１０３での集積収納の対象となっていない紙幣（処理対象外紙幣）、本物の紙幣であっても破損等により今後の使用に耐えない回収紙幣、或いは偽物紙幣若しくは判定不能紙幣といった異常紙幣の判別がなされる。
【００５６】
制御部１５０は、続くステップＳ２４０にて上記ステップＳ２３０での判定結果に応じた紙幣搬送を行う。即ち、制御部１５０は、正常判定された紙幣については、第１搬送ライン１４１と第２搬送ライン１４２を駆動制御して、正常判定の紙幣を一時収納カセット１２０まで搬送して当該カセットに一時保留する。一方、異常判定された紙幣については、処理対象外紙幣や偽物紙幣、判定不能紙幣は、第１搬送ライン１４１を駆動制御して、異常判定の紙幣を紙葉類投入ヘッド２００の返却部２２０や放出部２２２に返却する。また、今後の使用に耐えない回収紙幣は、バッチ的な処理により改めて回収・焼却処分とすべく、第１搬送ライン１４１と第３搬送ライン１４３を駆動制御して、カセット１０５に収納する。
【００５７】
こうして紙幣搬送を行うと、制御部１５０は、図１０に示すように、投入部２１０に投入・集積された総ての紙幣についての処理が終了したか否かを判定し（ステップＳ２５０）、未了であれば、図９のステップＳ１７０に移行して、新たな紙幣についての上記処理を繰り返す。これにより、投入部２１０に投入・集積された総ての紙幣について、その金種判定、真偽判定等の上記判定が順次行われることになる。なお、紙幣処理終了は、投入部２１０に紙幣が投入・集積されていたためにそれまでＯＮ出力であった総てのセンサが、ＯＦＦ出力に変化することに基づいて判定できる。
【００５８】
ステップＳ２５０で処理終了と判定すれば、制御部１５０は、紙幣のリジェクト、即ち異常判定の紙幣の放出部２２２への返却、或いは回収紙幣のカセット１０５に収納の有無を判定する（ステップＳ２６０）。ここでリジェクト無しと判定すれば、識別部１３０での判定処理に処した総ての紙幣の計数結果を表示部１１１に報知し（ステップＳ２７０）、係員による入金確認ボタン１１５や入金取消ボタン１１６のボタン操作の有無を待機する（ステップＳ２８０）。
【００５９】
一方、ステップＳ２６０でリジェクト有りと判定すれば、識別部１３０での判定処理に処した紙幣（詳しくは、リジェクト紙幣以外の紙幣）の計数結果とリジェクトがあった旨を表示部１１１に報知し（ステップＳ２９０）、係員によるリジェクト紙幣の再計数のための投入部２１０への再投入を待機する（ステップＳ３００）。この再投入待機の間に、係員がリジェクト紙幣を投入部２１０に再度投入すれば、投入部２１０における右端センサ２１５と左端センサ２１６と中央センサ２１７のセンサ入力があるので、制御部１５０は、このセンサ入力をトリガとしてステップＳ１２０以降の処理を繰り返す。係員がリジェクト紙幣の再投入を行わない場合（例えば、所定時間経過後）は、制御部１５０は、係員による入金確認ボタン１１５や入金取消ボタン１１６のボタン操作待機（ステップＳ２８０）に移行する。
【００６０】
係員による入金確認ボタン１１５操作があると、制御部１５０は、入金処理の実行が確定したとして、一時収納カセット１２０に一時収納済みの紙幣を一時収納カセット１２０から搬送し、その金種ごとに分別しつつカセット１０１〜１０３に収納集積し（ステップＳ３１０）、本ルーチンを終了する。この入金確定を受けて行われる紙幣搬送・カセット収納は、次のようにして行われる。まず、制御部１５０は、一時収納カセット１２０と第２搬送ライン１４２との間の繰り出しローラ対、および第２搬送ライン１４２と第１搬送ライン１４１に駆動信号を出力し、一時収納カセット１２０から紙幣を取り出して識別部１３０に搬送する。識別部１３０は、改めて第１センサ１３１による画像データ取得を行い、制御部１５０は、その画像データ解析により金種を判定し、金種に対応したカセットに紙幣を収納するよう、第１搬送ライン１４１と第３搬送ライン１４３とを駆動制御する。こうした紙幣搬送・カセット収納が、一時収納カセット１２０に一助保留済みの総ての紙幣について実行される。この際、制御部１５０は、一時収納カセット１２０に装着した一時保留検知センサ１２１のセンサ出力を参照し、カセットでの紙幣収納の有無、搬出の完了を検知しつつ、上記の紙幣搬送・カセット収納を行う。
【００６１】
一方、係員による入金取消ボタン１１６操作があると、制御部１５０は、入金処理取消が確定したとして、一時収納カセット１２０に一時収納済みの紙幣を、一時収納カセット１２０から搬送して返却部２２０に返却し（ステップＳ３２０）、本ルーチンを終了する。この入金取消確定を受けて行われる紙幣返却は、次のようにして行われる。制御部１５０は、一時収納カセット１２０と第２搬送ライン１４２との間の繰り出しローラ対、および第２搬送ライン１４２と第１搬送ライン１４１に駆動信号を出力し、一時収納カセット１２０から紙幣を取り出して返却部２２０に紙幣を一枚ずつ返却する。この場合にあっても、制御部１５０は、一時保留検知センサ１２１のセンサ出力を参照しつつ、上記の紙幣返却を行う。
【００６２】
次に、小切手についての入金処理について説明する。小切手入金処理は、図９のステップＳ１１０においてモード切替スイッチ１１３の操作により小切手処理であると判定された場合に実行されることになる。この小切手処理（入金処理）は、その処理対象が小切手に変わったに過ぎず、その処理内容はほぼ紙幣処理と同じである。
【００６３】
小切手処理では、図１１に示すように、制御部１５０は、係員による投入部２１０への小切手の投入・集積並びに計数ボタン１１７のボタン操作を待機し（ステップＳ３３０〜３４０）、図４に示す４つのセンサからその出力を読み込んで（ステップＳ３５０）、投入部２１０に投入・集積された小切手の送り方向の適否を判定する（ステップＳ３６０）。小切手処理では、モード切替スイッチ１１３の操作状況から現在の入金処理の対象は小切手であることから、小切手に予定される送り方向である搬送向きは、磁気インクの印刷文字列である記番号の読み取り精度の信頼性向上の意味から縦送り方向となる（図５（Ｂ）参照）。そうすると、縦送り方向となるよう投入部２１０に投入・集積された小切手により、右端センサ２１５と左端センサ２１６を除く中央センサ２１７と前端センサ２１８の両センサがＯＮとなる。よって、センサ出力状態により、現在の入金処理の対象である小切手がこの投入部２１０に縦送り方向で投入・集積されたかが判ることになる。つまり、ステップＳ３６０では、モード切替スイッチ１１３で設定された小切手処理の送り方向（縦送り方向）と、投入部２１０におけるセンサ出力により判別された送り方向とが一致するか否かを判定することになり、肯定判定すれば、後述するように小切手搬送を開始する。
【００６４】
一方、前端センサ２１８を除く総てのセンサがＯＮとなれば、このセンサ出力に基づく送り方向は横送り方向であり、モード切替スイッチ１１３で設定された小切手処理の送り方向（縦送り方向）と相違する。この場合は、ステップＳ３６０で否定判定され、制御部１５０は、モード切替スイッチ１１３で設定された小切手処理の送り方向（縦送り方向）の通りに小切手が投入・集積されていない旨を表示部１１１に報知し（ステップＳ３７０）、一旦、ステップＳ３３０に戻る。つまり、小切手の入金処理でありながら（図９のステップＳ１１０での判定）、処理対象となる小切手の搬送向きが横送り方向であることから、係員に小切手の投入・集積を正すよう報知し、係員による正しい方向（縦送り方向）での再度の紙幣の投入・集積を待つのである。なお、入金処理の対象が小切手でありながら、係員が紙幣を誤って縦方向送りとなるよう投入部２１０に投入・集積した場合は、ステップＳ３６０にて肯定判定されるが、この場合は後述のステップＳ４１０〜４３０にて、紙幣処理の場合と同様処理される。また、ステップＳ３７０での報知により、係員がモード切替スイッチ１１３を操作して小切手処理から紙幣処理に切り替えた場合は、先に説明したように、モード切替スイッチ１１３の操作をトリガとして、ステップＳ１００からの処理を繰り返せばよい。
【００６５】
ステップＳ３６０で、モード切替スイッチ１１３で設定された小切手処理の送り方向（縦送り方向）と、投入部２１０におけるセンサ出力により判別された送り方向とが一致すると肯定判定すれば、現在の処理対象である小切手を予定されている縦搬送方向（縦送り方向）で搬送できることから、制御部１５０は、第１搬送ライン１４１をこれに付随した繰り出しローラ対と共に駆動し、投入部２１０に縦送り方向で投入・集積済みの小切手を最下段から一枚ずつ識別部１３０に搬送する（ステップＳ３８０）。この１枚ずつの小切手搬送は、続くステップＳ３９０以降の識別部１３０でのセンサによる読み取りや真偽判定等が終わるたびに、繰り返される。
【００６６】
小切手処理にあっても、制御部１５０は、識別部１３０にて一枚ずつ小切手を第１センサ１３１と第２センサ１３２の読み取り対象として、既述した画像データと記番号文字データを取得し（ステップＳ３９０）、識別部１３０に実際に搬送されてきた紙葉類（縦送り搬送された小切手或いは誤って縦送り搬送された紙幣）についての画像データを、記憶部１８０に記憶済みの紙幣についての画像データと照合する（ステップＳ４００）。既述したように、この記憶部１８０には、縦送り搬送向きが予定されている小切手について、例えば市販小切手の表面模様の画像データや本実施例の紙葉類入出金処理装置１００での処理が予定されている小切手の表面模様の画像データが記憶されているので、ステップＳ４００でのデータ照合により、識別部１３０に実際に搬送されてきた紙葉類は、縦送り搬送された小切手であるのか、誤って縦送り搬送された紙幣或いは取り扱い不可の小切手であるのかが判明する。よって、制御部１５０は、続くステップＳ４１０にて現実に搬送されてきた紙葉類が、モード切替スイッチ１１３にて処理対象とされた小切手であるか否か、即ち、モード切替スイッチ１１３にて設定済みの搬送向きと、識別部１３０に実際に搬送されてきた紙葉類（この場合は小切手）について予定されている搬送向きとの一致・不一致を判定する。
【００６７】
ステップＳ４１０で肯定判定すれば、縦送り搬送向きが予定されている小切手が正しく搬送されたことを意味し、否定判定すれば、横送り搬送向きが予定されている紙幣が誤って縦送り搬送向きで搬送されたことを意味する。よって、ステップＳ４１０で否定判定すれば、制御部１５０は、モード切替スイッチ１１３で小切手処理が設定されたにも拘わらず識別部１３０には紙幣や取り扱い不可の小切手が誤って縦送り方向で搬送された旨を表示部１１１に報知し（ステップＳ４２０）、第１搬送ライン１４１を駆動制御して、搬送済み紙葉類（この場合は紙幣や取り扱い不可小切手）を返却部２２０や放出部２２２に返却する（ステップＳ４３０）。返却後は、ステップＳ３３０に移行する。これにより、係員は、小切手の入金処理でありながら（ステップＳ１１０での判定）、紙幣や取り扱い不可小切手を誤って搬送したことを認知するので、改めて取り扱い可能小切手を投入部２１０に縦送り方向で投入・集積することになる。なお、ステップＳ４２０での報知により、係員がモード切替スイッチ１１３を操作して小切手処理から紙幣処理に切り替えることも有りえるが、この場合は、このモード切替スイッチ１１３の操作をトリガとして、ステップＳ１００からの処理を繰り返せばよい。
【００６８】
ステップＳ４１０で肯定判定した場合は、現在の処理（入出金）の対象である小切手（取り扱い可能小切手）が縦送り搬送向きで正しく搬送されてきているので、この小切手についての判定処理を実行する（ステップＳ４４０）。この小切手判定処理は、第１センサ１３１が取得した画像データと第２センサ１３２が縦送り方向に沿った並びの記番号の磁気読み取りを経て取得した記番号文字データの他、他のセンサから得たセンサ出力に基づいて行う。この場合、第２センサ１３２による記番号の読み取りは、記番号文字の並びに沿った記番号の並びの順になされることになる。そして、小切手判定処理に際しては、記番号の読み取り精度の更なる向上のため、第２センサ１３２が読み取った磁気インクの記番号文字列データから得られた記番号と、第１センサ１３１が取得した画像データから得られた記番号とを照合するようにし、この照合結果を真偽判定の一項目とした。また、第２センサ１３２から取得した記番号と図示しない他のデータベースに記憶済みの記番号ファイルとの照合を経た小切手の真偽判定、記入金額、更には正常・異常の包括的な判定をも行うこととした。この場合、ステップＳ４１０で行った取り扱い可能小切手・不可小切手の判別もこの判定処理で行うことができる。取り扱い不可小切手は、紙葉類入出金処理装置１００での取り扱いが予定されていない小切手の他、偽造小切手も含まれる。また、小切手の正常・異常の判定には、第２センサ１３２から取得した記番号データの解析で得られた記番号と、第１センサ１３１の画像データの解析で得られた記番号の照合や、その他のセンサ出力を用いた複数の真偽判定項目の総てを満たした紙幣について正常と判定することと、複数の真偽判定項目の少なくとも一つの項目を満足しなかった小切手（偽物小切手、汚れ等により記番号判定不能小切手）について異常と判定することが含まれる。つまり、このステップＳ４４０では、本物の小切手であって最終的にはカセット１０４に集積収納する正常小切手と、本物の小切手であっても破損や汚れ等により小切手金額が読み取り不能な小切手、或いは偽物小切手といった異常小切手の判別がなされる。
【００６９】
制御部１５０は、続くステップＳ４５０にて上記ステップＳ４４での判定結果に応じた小切手搬送を行う。即ち、制御部１５０は、正常判定された小切手については、第１搬送ライン１４１と第２搬送ライン１４２を駆動制御して、正常判定の小切手を一時収納カセット１２０まで搬送して当該カセットに一時保留する。一方、異常判定された小切手については、取り扱い不可小切手や偽物小切手、判定不能小切手は、第１搬送ライン１４１を駆動制御して、異常判定の小切手を紙葉類投入ヘッド２００の返却部２２０や放出部２２２に返却する。
【００７０】
こうして小切手搬送を行うと、制御部１５０は、図１２に示すように、投入部２１０に投入・集積された総ての小切手についての処理が終了したか否かを判定し（ステップＳ４６０）、未了であれば、図１１のステップＳ３８０に移行して、新たな小切手についての上記処理を繰り返す。これにより、投入部２１０に投入・集積された総ての小切手について、真偽判定等の上記判定が順次行われることになる。なお、処理終了は、既述したように投入部２１０におけるセンサ出力推移により判定される。
【００７１】
ステップＳ４６０で処理終了と判定すれば、制御部１５０は、小切手のリジェクト（異常小切手の放出部２２２への返却）の有無を判定し（ステップＳ４７０）、リジェクト無しであれば、識別部１３０での判定処理に処した総ての小切手の計数結果を表示部１１１に報知し（ステップＳ４８０）、図１０のステップＳ２８０に移行して、係員による入金確認ボタン１１５や入金取消ボタン１１６のボタン操作を待機する。一方、ステップＳ４５０でリジェクト有りと判定すれば、識別部１３０での判定処理に処した小切手（詳しくは、リジェクト小切手以外の小切手）の計数結果とリジェクトがあった旨を表示部１１１に報知し（ステップＳ４９０）、係員によるリジェクト紙幣の再計数のための投入部２１０への再投入を待機する（ステップＳ５００）。この再投入待機の間に、係員がリジェクト小切手を投入部２１０に再度投入すれば、投入部２１０におけるセンサ入力により、制御部１５０は、ステップＳ３３０以降の処理を繰り返す。係員がリジェクト紙幣の再投入を行わない場合（例えば、所定時間経過後）は、制御部１５０は、係員による入金確認ボタン１１５や入金取消ボタン１１６のボタン操作待機（ステップＳ２８０）に移行する。
【００７２】
係員による入金確認ボタン１１５操作があると、制御部１５０は、入金処理の実行（この場合は小切手についての処理実行）が確定したとして、一時収納カセット１２０に一時収納済みの小切手を一時収納カセット１２０から搬送し、カセット１０４に収納集積し（ステップＳ３１０）、本ルーチンを終了する。この入金確定を受けて行われる小切手搬送・カセット収納は、次のようにして行われる。まず、制御部１５０は、一時収納カセット１２０と第２搬送ライン１４２との間の繰り出しローラ対、および第２搬送ライン１４２と第１搬送ライン１４１、第３搬送ライン１４３に駆動信号を出力し、一時収納カセット１２０から小切手を取り出してカセット１０４に紙幣を収納する。こうした小切手搬送・カセット収納が、一時収納カセット１２０に一助保留済みの総ての小切手について実行される。この際、制御部１５０は、一時収納カセット１２０に装着した一時保留検知センサ１２１のセンサ出力を参照し、カセットでの小切手収納の有無、搬出の完了を検知しつつ、上記の小切手搬送・カセット収納を行う。
【００７３】
一方、係員による入金取消ボタン１１６操作があると、制御部１５０は、入金処理取消が確定したとして、一時収納カセット１２０に一時収納済みの小切手を、一時収納カセット１２０から搬送して返却部２２０に返却し（ステップＳ３２０）、本ルーチンを終了する。この入金取消確定を受けて行われる小切手返却は、既述した紙幣返却と同じである。
【００７４】
次に、カセット１０１〜１０３に集積収納済みの紙幣の出金処理について、簡単に説明する。カセット収納済み紙幣の出金に際しては、係員による図示しないテンキーからの出金額設定、紙幣金種と枚数設定がなされ、これらが設定されると、制御部１５０は、設定金種に該当するカセットから紙幣を取り出して返却部２２０に搬送する。この搬送に際しては、識別部１３０を通過するよう第１搬送ライン１４１と第３搬送ライン１４３を駆動制御し、識別部１３０では、設定された金種との一致・不一致が、第１センサ１３１から取得した画像データの解析に基づいて実行される。そして、金種の一致した紙幣については、返却部２２０に搬送されて出金され、金種不一致の紙幣は、リジェクト紙幣としてカセット１０５に収納される。
【００７５】
以上説明したように、本実施例の紙葉類入出金処理装置１００では、紙幣や小切手の入金処理のこれら紙葉類の受け付けに際し、投入部２１０に設けた右端センサ２１５、左端センサ２１６、中央センサ２１７および前端センサ２１８のセンサ出力に応じて、現在受付対象となっている紙幣或いは小切手について、その搬送向き（紙幣であれば横送り搬送向き、小切手であれば縦送り搬送向き）を判定する。そして、この判定結果に基づいて、紙幣受け付け（入金処理）であれば、識別部１３０における第１センサ１３１が表面読み取りによって取得した画像データを紙幣の種々の判定処理に用い、小切手受け付け（入金処理）であれば、識別部１３０の第２センサ１３２にて、小切手に磁気インクで印刷済みの記番号の文字列データを文字の並びに沿って読み取り、その記番号文字データを小切手の種々の判定に用いる。
【００７６】
この結果、本実施例の紙葉類入出金処理装置１００によれば、一度の大量処理・受付時間短縮化が望まれる紙幣受付にあっては、紙幣をその搬送向きが横送り搬送向きとなるように投入部２１０に投入すれば、その搬送向きが判定されて第１センサ１３１による画像データ取得が行われ、この画像データを用いた判定処理を行うことができる。その一方、記番号といった磁気インク印刷文字列の各文字の読み取り精度が重視される小切手受付にあっては、小切手をその搬送向きが縦送り搬送向きとなるように投入部２１０に投入すれば、その搬送向きが判定されて第２センサ１３２による記番号文字列のデータ取得が行われ、この記番号文字列データを用いた判定処理を行うことができる。従って、紙幣と小切手を、その紙葉類の種別ごとの要請（大量処理・時間短縮、読み取り精度重視）に則って容易に受付処理できる。このため、紙葉類入出金処理装置１００の設置スペースの省スペース化が可能であると共に、磁気感知式の第２センサ１３２の分解能を不用意に高める必要がなくコスト的に有益である。更には、本実施例の紙葉類入出金処理装置１００により、紙幣と小切手を受け付け処理できるので、紙葉類に応じた装置の使い分けも不要となり、簡便となる。
【００７７】
また、縦送り搬送が予定されている小切手については、第２センサ１３２が読み取った磁気インクの記番号文字列データから得られた記番号と、第１センサ１３１が取得した画像データから得られた記番号とを照合するようにし（ステップＳ４４）、その照合の結果を小切手真偽判定等にいることにした。このため、縦送り搬送向きで搬送される小切手の判定処理精度をより高めることができる。
【００７８】
更に、処理に先だってモード切替スイッチ１１３によりその処理対象を紙幣・小切手のいずれかを設定し、スイッチ操作により紙幣処理であれば、紙幣に予定されている搬送方向（横送り方向）と、投入部２１０に投入・集積された状態での搬送方向との一致・不一致（ステップＳ１５０）、小切手処理であれば、小切手に予定されている搬送方向（縦送り方向）と、投入部２１０に投入・集積された状態での搬送方向との一致・不一致（ステップＳ３６０）を判定し、これら搬送方向が一致した場合に、投入部２１０からの搬送を開始するようにした。よって、予定されている搬送向きと異なる搬送向きで紙幣や小切手を誤って搬送してしまうようなことが無くなり、好ましい。この場合、搬送方向が不一致であれば、その旨報知して（ステップＳ１６０、３７０）、係員に正しい搬送向きでの搬送、即ち投入部２１０への投入・集積を促すので、その後の処理実行が速やかとなり、好ましい。
【００７９】
加えて、紙幣・小切手の判定処理に先立ち、紙幣と小切手について予め記憶した画像データと、実際に識別部１３０に搬送されてきた紙幣・小切手から第１センサ１３１が取得した画像データとを照合し（ステップＳ１９０、４００）、紙幣或いは小切手に設定されている搬送方向と、実際に識別部１３０に搬送されてきた紙幣或いは小切手について予定されている搬送向きとの一致・不一致を判定するようにした（ステップＳ２００、４１０）。そして、設定された搬送向きと、実際に搬送されてきた紙幣或いは小切手に予定されている搬送向きとが一致した場合に、その実際に搬送されてきた紙幣或いは小切手に付いての判定処理を行い、不一致であれば、その旨の報知・返却を行うようにした（ステップＳ２１０〜２２０、４２０〜４３０）。よって、例えば、横送り搬送向きに設定したにも拘わらず、実際には横送り搬送向きで小切手が搬送されたような場合には、誤って小切手を紙幣の搬送向き（横送り搬送向き）で投入してしまったようなことを検知できる。縦送り搬送向きに設定したにも拘わらず、実際には縦送り搬送向きで紙幣が搬送された場合も同様である。こうした事態は、投入部２１０に誤った紙葉類を投入したことであるので、こうした紙葉類投入不備があった場合には、その旨の報知および返却により、投入不備の速やかな解消や、投入不備紙葉類の回収が容易となり、好ましい。
【００８０】
また、本実施例では、図５に示すように、投入部２１０を横送り搬送向きでの紙幣の投入・集積と縦送り搬送向きでの小切手の投入・集積とが可能となるよう構成した上で、投入部２１０に設けた右端センサ２１５、左端センサ２１６、中央センサ２１７および前端センサ２１８のセンサ出力から、横送り搬送向きでの投入載置と、縦送り搬送向きでの投入載置とを判定できる。よって、搬送向きが誤ったままの紙幣・小切手の投入不備を未然に回避できる。
【００８１】
以上、本発明の実施例について説明したが、本発明は、上記した実施の形態に限られるものではなく、その要旨を逸脱しない範囲において種々の態様にて実施することが可能である。例えば、上記の実施例では、小切手を例に取り説明したが、商品券や手形といった他の有価証券処理に適用することもできる。
【００８２】
また、投入部２１０を、横送り搬送向きでの紙葉類専用の投入部と、縦送り搬送向きでの紙葉類専用の投入部とを上下に配置した構成とすることもできる、こうすれば、どちらの投入部に投入されたかで、現在処理しようとする紙葉類の搬送向きが判別できる。更には、紙幣と小切手を、紙幣は横送りで小切手は縦送りで混在して処理するようにすることもできる。こうするには、次のようにすればよい。ステップＳ２００での実際に搬送された紙葉類の搬送対象の判定において、搬送されてきた紙葉類の種別（紙幣と小切手かの別）と、その搬送方向（横送り方向か縦送り方向かの別）を第１センサ１３１の画像データにより判定する。そして、紙幣については、金種・真偽等の判定に第２センサ１３２を用いる必要がないので、予定されている横送り方向で搬送されてきた場合の他、誤って紙幣が縦送り方向で搬送された場合も、第１センサ１３１が取得した画像データを判定処理に用いる。つまり、縦送り搬送は搬送向きが正しくはないものの、処理時間が縦送りであるため多少は長くなったとしても、改めての投入を行わないで、縦送り搬送のまま紙幣の判定を行う。小切手については、記入金額が高額であったりすると記番号の読み取り精度を損なうことができないので、第１センサ１３１の画像データにより小切手が横送り搬送された場合には、縦送りでの再投入・処理を行うべく返却することとし、予定されている縦送り方向で小切手が搬送された場合に限り、第２センサ１３２による記番号文字の並びに沿って記番号の並び順に記番号を判読するようにする。
【図面の簡単な説明】
【００８３】
【図１】小切手における記番号の印刷の様子と磁気センサによる読み込みの様子とを示す説明図である。
【図２】実施例における紙葉類入出金処理装置１００の構成を示すブロック図である。
【図３】紙葉類投入ヘッド２００の概略斜視図である。
【図４】投入部２１０をその上面から見て概略的に示した説明図である。
【図５】本実施例の紙葉類入出金処理装置１００において予定している紙葉類搬送の様子を示す説明図である。
【図６】識別部１３０の概略構成を平面視して示す説明図である。
【図７】操作部１１０を正面視して示す説明図である。
【図８】紙葉類入出金処理装置１００の電気的な構成を示すブロック図である。
【図９】紙葉類入出金処理装置１００の稼働をもたらす制御部１５０の処理内容のうち紙幣処理についての前半部分を示すフローチャートである。
【図１０】制御部１５０の紙幣処理についての後半部分を示すフローチャートである。
【図１１】紙葉類入出金処理装置１００の稼働をもたらす制御部１５０の処理内容のうち小切手処理についての前半部分を示すフローチャートである。
【図１２】制御部１５０の小切手幣処理についての後半部分を示すフローチャートである。
【符号の説明】
【００８４】
１００...紙葉類入出金処理装置
１０１〜１０５...カセット
１１０...操作部
１１１...表示部
１１２...キースイッチ
１１３...モード切替スイッチ
１１４...操作ボタン群
１１５...入金確認ボタン
１１６...入金取消ボタン
１１７...計数ボタン
１１８...リセットボタン
１２０...一時収納カセット
１２１...一時保留検知センサ
１３０...識別部
１３１...第１センサ
１３２...第２センサ
１３３...送出ローラ対
１３８...センサ
１４１...第１搬送ライン
１４２...第２搬送ライン
１４３...第３搬送ライン
１５０...制御部
１６０...判定処理部
１６５...搬送方向判定部
１７０...照合・判定部
１８０...記憶部
２００...紙葉類投入ヘッド
２１０...投入部
２１１...投入窓
２１２...パネル側枠体
２１３...突出枠
２１４...ストッパ片
２１５...右端センサ
２１６...左端センサ
２１７...中央センサ
２１８...前端センサ
２２０...返却部
２２２...放出部
【図１】
0004690869.tif 000002
【図２】
0004690869.tif 000003
【図３】
0004690869.tif 000004
【図４】
0004690869.tif 000005
【図５】
0004690869.tif 000006
【図６】
0004690869.tif 000007
【図７】
0004690869.tif 000008
【図８】
0004690869.tif 000009
【図９】
0004690869.tif 000010
【図１０】
0004690869.tif 000011
【図１１】
0004690869.tif 000012
【図１２】
0004690869.tif 000013